(57)【特許請求の範囲】
【請求項１】
荷重を支持する集成材からなる芯材と、
芯材の外側に設けられ、断熱性を有し、不燃木材からなる第１燃え止まり層と、
第１燃え止まり層の外側に設けられ、第１燃え止まり層の崩落を防止するための不燃性を有する材料からなる崩落防止材とを備えることを特徴とする耐火集成材。
【請求項２】
芯材の外側に設けられ、吸熱性および断熱性を有する無機質材料からなる第２燃え止まり層をさらに備え、
第２燃え止まり層は、第１燃え止まり層の内側に設けられることを特徴とする請求項１に記載の耐火集成材。
【請求項３】
第１燃え止まり層の外側に設けられる仕上げ材をさらに備え、
崩落防止材を、仕上げ材の外側、または、第１燃え止まり層と仕上げ材との間に設けたことを特徴とする請求項１または２に記載の耐火集成材。
【請求項４】
崩落防止材を、第１燃え止まり層の外側と内側とに設けたことを特徴とする請求項１〜３のいずれか一つに記載の耐火集成材。
【請求項５】
崩落防止材を、崩落する第１燃え止まり層の破片よりも網目の大きさが細かい網目状の不燃性材料で構成したことを特徴とする請求項１〜４のいずれか一つに記載の耐火集成材。
【発明の詳細な説明】
【技術分野】
【０００１】
本発明は、荷重を支持するための集成材からなる芯材と、この芯材の外側に設けられる燃え止まり層とを備える耐火集成材に関するものである。
【背景技術】
【０００２】
木材は一般に、多くの長所を持っている。主なものとして、調湿性、衝撃安全性、断熱性、心身不調の低減、香りによるリラックス効果、わくわく感の向上、子供たちの情緒安定性の向上等があげられる。また、鉄骨といった既存の部材と比較し、トータルとしてのＣＯ２の削減にも効果があり、有効利用が急務となっている。特に、間伐材などから製造した単板を利用した集成材は、構造的な性能も一様になり易く、比較的安定した供給も可能であり、活用が一段と増すものと考えられる。
【０００３】
一方、こうした集成材をはじめとする木材の最大の弱点が燃えてしまうことである。このため、壁・床・柱・梁等の木造部材は、燃え代分を見込んで燃え代設計が従来行われてきた。また、火災に面していない裏面の温度上昇を抑えるためにも、部材の厚みを増す方法は有効となる。しかし、その分、大きくなる部材は、コスト高、重量増、室の有効面積の低減を誘発する方向にあった。
【０００４】
さらに、１時間やそれ以上の耐火の性能として、燃え止まることが要求されるようになり、基準が一段と厳しいものとなった。このため、木造部材の厚みを増すだけでは対応が難しい。そこで、例えば図１１に示すように、燃え代層３の部分を厚くした上で芯材である荷重支持層１との間に、モルタル層からなる燃え止まり層２を入れた方式（例えば、特許文献１を参照）や、図１２に示すように、燃え代層３と芯材である荷重支持層１との間に、同じ石膏ボード４を幾重にも重ねて入れた方式（例えば、特許文献２を参照）などが提案されるようになり、燃え止まりが確保できるようになってきている。
【先行技術文献】
【特許文献】
【０００５】
【特許文献１】特許第４８５７０３４号公報
【特許文献２】特許第４３５９２７５号公報
【発明の概要】
【発明が解決しようとする課題】
【０００６】
しかしながら、図１１、図１２のような方式によっても、部材が大きくなることは避けられず、コスト高、重量増、室の有効面積の低減等の問題を解決することはできない。このため、耐火性能を高めることにより、部材のスリム化を図ることができて、コスト高、重量増、室の有効面積の低減等の問題を解決することのできる耐火集成材の開発が求められていた。
【０００７】
本発明は、上記に鑑みてなされたものであって、部材のスリム化を図ることのできる耐火集成材を提供することを目的とする。
【課題を解決するための手段】
【０００８】
上記した課題を解決し、目的を達成するために、本発明に係る耐火集成材は、荷重を支持する集成材からなる芯材と、芯材の外側に設けられ、断熱性を有し、不燃木材からなる第１燃え止まり層と、第１燃え止まり層の外側に設けられ、第１燃え止まり層の崩落を防止するための不燃性を有する材料からなる崩落防止材とを備えることを特徴とする。
【０００９】
また、本発明に係る他の耐火集成材は、上述した発明において、芯材の外側に設けられ、吸熱性および断熱性を有する無機質材料からなる第２燃え止まり層をさらに備え、第２燃え止まり層は、第１燃え止まり層の内側に設けられることを特徴とする。
【００１０】
また、本発明に係る他の耐火集成材は、上述した発明において、第１燃え止まり層の外側に設けられる仕上げ材をさらに備え、崩落防止材を、仕上げ材の外側、または、第１燃え止まり層と仕上げ材との間に設けたことを特徴とする。
【００１１】
また、本発明に係る他の耐火集成材は、上述した発明において、崩落防止材を、第１燃え止まり層の外側と内側とに設けたことを特徴とする。
【００１２】
また、本発明に係る他の耐火集成材は、上述した発明において、崩落防止材を、崩落する第１燃え止まり層の破片よりも網目の大きさが細かい網目状の不燃性材料で構成したことを特徴とする。
【発明の効果】
【００１３】
本発明に係る耐火集成材によれば、荷重を支持する集成材からなる芯材と、芯材の外側に設けられ、断熱性を有し、不燃木材からなる第１燃え止まり層と、第１燃え止まり層の外側に設けられ、第１燃え止まり層の崩落を防止するための不燃性を有する材料からなる崩落防止材とを備える。ここで、第１燃え止まり層は、耐火性を有する被覆層ということができ、内側の芯材への燃焼の進行を遅らせる機能を有する。また、崩落防止材は、崩落しやすい傾向にある不燃木材からなる第１燃え止まり層の崩落により第１燃え止まり層の厚さが薄くなって、第１燃え止まり層の断熱性が低下することを防ぐ機能を有する。崩落防止材によって、第１燃え止まり層の崩落が防止され、第１燃え止まり層の断熱性能が維持される結果、第１燃え止まり層の層厚を薄くしても、火災時の断熱性を確保することができ、例えば、少なくとも１時間耐火の性能を確保可能である。また、燃え止まり層の厚さを薄くできるので、同じ断面積の芯材を有する耐火仕様の部材において、部材全体の断面積を小さくできる。したがって、本発明によれば、所定の耐火性能を有しつつ、部材のスリム化が図られた耐火集成材を提供することができるという効果を奏する。
【００１４】
また、本発明に係る他の耐火集成材によれば、芯材の外側に設けられ、吸熱性および断熱性を有する無機質材料からなる第２燃え止まり層をさらに備え、第２燃え止まり層は、第１燃え止まり層の内側に設けられる。ここで、第１燃え止まり層および第２燃え止まり層は、耐火性を有する被覆層ということができ、外側の第１燃え止まり層は内側の芯材への燃焼の進行を遅らせる機能を有する。また、内側の第２燃え止まり層は、外側の第１燃え止まり層が火災により上記機能を失った後に、芯材への熱の伝達を防止し、芯材を炭化や燃焼させない機能を有する。このように、燃え止まり層が、第１燃え止まり層と第２燃え止まり層とによる機能・材料の異なる２層からなり、これらの層厚を薄くしても、火災時の断熱性を確保することができ、例えば、少なくとも１時間耐火の性能を確保可能である。また、燃え止まり層全体の厚さを薄くできるので、同じ断面積の芯材を有する耐火仕様の部材において、部材全体の断面積を小さくできる。したがって、本発明によれば、所定の耐火性能を有しつつ、部材のスリム化が図られた耐火集成材を提供することができるという効果を奏する。
【００１５】
また、本発明に係る他の耐火集成材によれば、第１燃え止まり層の外側に設けられる仕上げ材をさらに備え、崩落防止材を、仕上げ材の外側、または、第１燃え止まり層と仕上げ材との間に設けたので、第１燃え止まり層の外側に設けられる仕上げ材を備える場合においても、第１燃え止まり層の崩落を防止することができるという効果を奏する。
【００１６】
また、本発明に係る他の耐火集成材によれば、崩落防止材を、第１燃え止まり層の外側と内側とに設けたので、第１燃え止まり層の崩落をより確実に防止することができるという効果を奏する。
【００１７】
また、本発明に係る他の耐火集成材によれば、崩落防止材を、崩落する第１燃え止まり層の破片よりも網目の大きさが細かい網目状の不燃性材料で構成したので、網目状の崩落防止材によって、第１燃え止まり層からの破片の崩落を防止することができるという効果を奏する。
【図面の簡単な説明】
【００１８】
【図１】図１は、本発明に係る耐火集成材の実施の形態１を示す概略断面図である。
【図２】図２は、本発明に係る耐火集成材の実施の形態１を示す概略斜視断面図である。
【図３】図３は、本発明に係る耐火集成材の実施の形態１の作用を説明する側断面図である。
【図４】図４は、本発明に係る耐火集成材の実施の形態１の作用を説明する側断面図である。
【図５】図５は、本発明に係る耐火集成材の実施の形態２を示す概略断面図である。
【図６】図６は、本発明に係る耐火集成材の実施の形態２を示す概略斜視断面図である。
【図７】図７は、本発明に係る耐火集成材の実施の形態２の変形例を示す概略断面図である。
【図８】図８は、本発明に係る耐火集成材の実施の形態２の変形例を示す概略断面図である。
【図９】図９は、本発明に係る耐火集成材の実施の形態１の変形例を示す概略断面図である。
【図１０】図１０は、本発明に係る耐火集成材の実施の形態２の変形例を示す概略断面図である。
【図１１】図１１は、従来の特許文献１に記載されている部材の一例を示す断面図である。
【図１２】図１２は、従来の特許文献２に記載されている部材の一例を示す断面図である。
【発明を実施するための形態】
【００１９】
以下に、本発明に係る耐火集成材の実施の形態（実施の形態１、２）を図面に基づいて詳細に説明する。なお、この実施例によりこの発明が限定されるものではない。
【００２０】
［実施の形態１］
まず、本発明の実施の形態１について図１〜図４を参照しながら説明する。
図１および図２に示すように、本実施の形態１に係る耐火集成材１０は、芯材１２と、第２燃え止まり層１４と、第１燃え止まり層１６と、仕上げ材１８と、崩落防止材２０とを備えるものである。
【００２１】
芯材１２は、荷重を支持する集成材（木材）からなる。芯材１２としては、例えばスギやカラマツ等からなる一般的な集成材を用いて構成することができる。
【００２２】
第２燃え止まり層１４は、耐火性を有する被覆層であり、芯材１２の外側に設けられ、吸熱性および断熱性を有する無機質材料からなるものである。この第２燃え止まり層１４は、火災時においては、外側の第１燃え止まり層１６が火災によりその機能を失った後であっても、隣接する内側の芯材１２への熱の伝達を防止し、芯材１２を炭化や燃焼させない機能を持っており、芯材１２への熱伝導を抑制する作用を発揮する。第２燃え止まり層１４をなす無機質材料としては、強化石膏ボード、石膏ボード、ケイカル板（ケイ酸カルシウム板）等のボード状の材料を用いることができる。また、その厚さは、用途に応じて適宜調整可能である。厚くすると、熱伝導を抑制する効果は向上する。これらのボードは、重ねて所定の厚さにしてもよい。ここで、強化石膏ボード、石膏ボード、ケイカル板（ケイ酸カルシウム板）等の材料は、極めて安価に入手できるとともに、高い断熱性と吸熱性とを有することから、第２燃え止まり層１４として好適である。
【００２３】
第１燃え止まり層１６は、耐火性を有する被覆層であり、第２燃え止まり層１４の外側に設けられるものである。この第１燃え止まり層１６は、火災時においては、その断熱性により隣接する内側の第２燃え止まり層１４への燃焼の進行を遅らせる機能を持ち、第２燃え止まり層１４への熱伝導を抑制する作用を発揮する。この第１燃え止まり層１６としては、燃えにくい不燃性の材料、例えば木材にホウ酸等の薬剤を含浸させて不燃処理した不燃木材を用いることができる。また、第１燃え止まり層１６の厚さは用途に応じて適宜調整可能であるが、例えば１５ｍｍ〜４５ｍｍ程度とするのが好ましく、３０ｍｍ程度とするのがより好ましい。
【００２４】
このように、上記の燃え止まり層１４、１６は、耐火性を有する被覆層ということができ、外側の第１燃え止まり層１６は内側の第２燃え止まり層１４への燃焼の進行を遅らせる機能を持っている。また、内側の第２燃え止まり層１４は、外側の第１燃え止まり層１６が火災により上記機能を失った後に、芯材１２への熱の伝達を防止し、芯材１２を炭化や燃焼させない機能を持つものである。
【００２５】
仕上げ材１８は、木材からなり、第１燃え止まり層１６の外側に木質感を付与するために設けられる。したがって、耐火集成材１０の外表面１８ａは、この仕上げ材１８によって木質感や木目調の外観を呈している。仕上げ材１８は、木材や集成材等の木質材料であることが望ましいが、クロス材等の建築用仕上げ材を用いてもよい。仕上げ材１８の厚さは、例えば３ｍｍ〜３０ｍｍ程度とすることが好ましいが、もちろん、これよりも薄くして、燃え代としてほとんど機能しないように構成しても構わない。
【００２６】
崩落防止材２０は、第１燃え止まり層１６の外側に設けられ、第１燃え止まり層１６の崩落を防止するための不燃性を有する材料からなるものである。この崩落防止材２０は、崩落しやすい傾向にある不燃木材などからなる第１燃え止まり層１６の崩落により第１燃え止まり層１６の厚さが薄くなって、第１燃え止まり層１６の断熱性が低下することを防ぐ機能を有する。崩落防止材２０によって、第１燃え止まり層１６の崩落が防止され、第１燃え止まり層１６の断熱性能が維持される結果、第１燃え止まり層１６の層厚を薄くしても、火災時の断熱性を確保することができ、例えば、少なくとも１時間耐火の性能を確保可能である。
【００２７】
この崩落防止材２０の作用について図３および図４を参照しながら説明する。図３は、崩落防止材２０がない場合の耐火集成材の側断面図、図４は、崩落防止材２０がある場合の耐火集成材の側断面図である。いずれの図も仕上げ材１８の図示を省略している。
【００２８】
図３に示すように、仮に崩落防止材２０がない場合、第１燃え止まり層１６からの破片の崩落によって、火災時に芯材１２に炭化を発生させるような事態が生じることがある。このような事態を未然に防止するため、例えば、第１燃え止まり層１６から支障がない範囲で崩落しても良いように、第１燃え止まり層１６の厚みを増したり、第２燃え止まり層１４の厚みを増したりするなどの対策をとることがある。しかしながら、このような対策では、部材断面積の増大を招くこととなる。そこで、図４に示すように、本発明の崩落防止材２０を第１燃え止まり層１６の外側に設けることによって、第１燃え止まり層１６の崩落を防止してその断熱性能を維持するとともに、スリム化が図られた部材の大きさを維持するようにする。
【００２９】
崩落防止材２０は、崩落する第１燃え止まり層１６の破片よりも網目の大きさが極めて細かい網目状の不燃性材料（例えば鋼材など）で構成することができる。このようにすれば、網目状の崩落防止材２０によって、第１燃え止まり層１６からの破片の崩落をより確実に防止することができる。また、崩落防止材２０は、図１および図２に示すような第１燃え止まり層１６と仕上げ材１８との間だけでなく、仕上げ材１８の外側に設け、耐火集成材１０全体を被覆するようにしてもよい。このようにしても、第１燃え止まり層１６の崩落を防止することができる。さらに、崩落防止材２０は、第１燃え止まり層１６の外側だけでなく、第１燃え止まり層１６の内側に設けてもよい。こうすることで、第１燃え止まり層１６の崩落をより一層確実に防止することができる。
【００３０】
このように、本実施の形態１の耐火集成材１０によれば、燃え止まり層が、第２燃え止まり層１４と第１燃え止まり層１６とによる機能・材料の異なる２層からなり、第１燃え止まり層１６の外側には崩落防止材２０が設けられる。この構成によれば、崩落防止材２０によって、第１燃え止まり層１６の崩落が防止され、第１燃え止まり層１６の断熱性能が維持される結果、第２燃え止まり層１４および第１燃え止まり層１６の層厚を薄くしても、火災時の断熱性を確保することができ、例えば、少なくとも１時間耐火の性能を確保可能である。また、燃え止まり層全体の厚さを薄くできるので、同じ断面積の芯材を有する耐火仕様の部材において、部材全体の断面積を小さくできる。したがって、本実施の形態１によれば、所定の耐火性能を有しつつ、部材のスリム化が図られた耐火集成材を提供することができる。
【００３１】
さらに、本実施の形態１によれば、耐火集成材の断面積に占める芯材による木材部分の面積を大きくすることができるので、同じ断面積の耐火仕様の部材において、特に構造上重要な芯材部分に木材を多く使用できる。しかも、本実施の形態１の耐火集成材は、現場で加工が可能であるとともに、施工性が良く、木質感が損なわれない。この耐火集成材を用いれば、木造架構の自由度を高めることができる。また、外側に設ける第１燃え止まり層１６として、無機質の不燃木材を使用できるため、耐候性がよい。また、第２燃え止まり層１４として、低コストで調達可能な強化石膏ボード、石膏ボード、ケイカル板（ケイ酸カルシウム板）等を使用できるため、製作コストを安価に抑えることができる。したがって、本実施の形態１によれば、部材のスリム化を図ることができて、コスト高、重量増、構造材の断面積、室の有効面積の低減といった問題を解決することが可能である。
【００３２】
［実施の形態２］
次に、本発明の実施の形態２について図５および図６を参照しながら説明する。
図５および図６に示すように、本実施の形態２に係る耐火集成材１００は、芯材１２と、芯材１２の外側に設けた第１燃え止まり層１６と、第１燃え止まり層１６の外側に設けた崩落防止材２０とを備えるものである。芯材１２、崩落防止材２０は、上記の実施の形態１で説明したものと同様のものであることから、これらについての詳細な説明は省略する。
【００３３】
本実施の形態２の第１燃え止まり層１６は、耐火性を有する被覆層であり、断熱性を有し、耐火集成材１００に木目調の外観や木質感を付与する仕上げ材としての機能も兼ねている。したがって、耐火集成材１００の外表面１６ａはこの第１燃え止まり層１６によって木目調の外観を呈している。必要に応じて、この外側に仕上げ材を設けてもよい。この第１燃え止まり層１６としては、外面側が木目調の外観や木質感を呈するような燃えにくい不燃性の材料、例えば木材にホウ酸等の薬剤を含浸させて不燃処理した不燃木材を用いることができる。
【００３４】
第１燃え止まり層１６は、耐火性を有する被覆層ということができ、内側の芯材１２への燃焼の進行を遅らせる機能を持っている。このように、本実施の形態２の耐火集成材１００によれば、第１燃え止まり層１６と、第１燃え止まり層１６の外側に設けた崩落防止材２０とからなる。この構成によれば、崩落防止材２０によって、第１燃え止まり層１６の崩落が防止され、第１燃え止まり層１６の断熱性能が維持される結果、第１燃え止まり層１６の層厚を薄くしても、火災時の断熱性を確保することができ、例えば、少なくとも１時間耐火の性能を確保可能である。また、燃え止まり層全体の厚さを薄くできるので、同じ断面積の芯材を有する耐火仕様の部材において、部材全体の断面積を小さくできる。したがって、本実施の形態２によれば、所定の耐火性能を有しつつ、部材のスリム化が図られた耐火集成材を提供することができる。
【００３５】
さらに、本実施の形態２によれば、耐火集成材の断面積に占める芯材による木材部分の面積を大きくすることができるので、同じ断面積の耐火仕様の部材において、特に構造上重要な芯材部分に木材を多く使用できる。しかも、本実施の形態２の耐火集成材は、現場で加工が可能であるとともに、施工性が良く、木質感が損なわれない。この耐火集成材を用いれば、木造架構の自由度を高めることができる。また、外側に設ける第１燃え止まり層１６として、無機質の不燃木材を使用できるため、耐候性がよい。したがって、本実施の形態２によれば、部材のスリム化を図ることができて、重量増、構造材の断面積、室の有効面積の低減といった問題を解決することが可能である。
【００３６】
上記の実施の形態２において、図７に示すように、第１燃え止まり層１６の外側にさらに仕上げ材１８を設けることにより耐火集成材１０１を構成してもよい。このようにしても、上記の実施の形態２と同一の作用効果を奏することができる。
【００３７】
さらに、図８に示すように、崩落防止材２０を仕上げ材１８の外側に設けることにより耐火集成材１０２を構成してもよい。このようにしても、上記の実施の形態２と同一の作用効果を奏することができる。
【００３８】
なお、上記の実施の形態１および２では、独立柱を想定した場合の耐火集成材の構成について説明したが、本発明はこれに限るものではない。つまり本発明に係る耐火集成材を、耐火性能を有する他の平面部材、例えば鉄筋コンクリート製スラブや防火壁等に接する形態で使用してもよい。この場合、すなわち梁や壁付き柱として使用する場合には、例えば図９および図１０に示すように、床スラブまたは壁である平面部材２８に接する部分の燃え止まり層および崩落防止材２０は省略することもできる。
【００３９】
以上説明したように、本発明に係る耐火集成材によれば、荷重を支持する集成材からなる芯材と、芯材の外側に設けられ、断熱性を有し、不燃木材からなる第１燃え止まり層と、第１燃え止まり層の外側に設けられ、第１燃え止まり層の崩落を防止するための不燃性を有する材料からなる崩落防止材とを備える。ここで、第１燃え止まり層は、耐火性を有する被覆層ということができ、内側の芯材への燃焼の進行を遅らせる機能を有する。また、崩落防止材は、崩落しやすい傾向にある不燃木材からなる第１燃え止まり層の崩落により第１燃え止まり層の厚さが薄くなって、第１燃え止まり層の断熱性が低下することを防ぐ機能を有する。崩落防止材によって、第１燃え止まり層の崩落が防止され、第１燃え止まり層の断熱性能が維持される結果、第１燃え止まり層の層厚を薄くしても、火災時の断熱性を確保することができ、例えば、少なくとも１時間耐火の性能を確保可能である。また、燃え止まり層の厚さを薄くできるので、同じ断面積の芯材を有する耐火仕様の部材において、部材全体の断面積を小さくできる。したがって、本発明によれば、所定の耐火性能を有しつつ、部材のスリム化が図られた耐火集成材を提供することができる。
【００４０】
また、本発明に係る他の耐火集成材によれば、芯材の外側に設けられ、吸熱性および断熱性を有する無機質材料からなる第２燃え止まり層をさらに備え、第２燃え止まり層は、第１燃え止まり層の内側に設けられる。ここで、第１燃え止まり層および第２燃え止まり層は、耐火性を有する被覆層ということができ、外側の第１燃え止まり層は内側の芯材への燃焼の進行を遅らせる機能を有する。また、内側の第２燃え止まり層は、外側の第１燃え止まり層が火災により上記機能を失った後に、芯材への熱の伝達を防止し、芯材を炭化や燃焼させない機能を有する。このように、燃え止まり層が、第１燃え止まり層と第２燃え止まり層とによる機能・材料の異なる２層からなり、これらの層厚を薄くしても、火災時の断熱性を確保することができ、例えば、少なくとも１時間耐火の性能を確保可能である。また、燃え止まり層全体の厚さを薄くできるので、同じ断面積の芯材を有する耐火仕様の部材において、部材全体の断面積を小さくできる。したがって、本発明によれば、所定の耐火性能を有しつつ、部材のスリム化が図られた耐火集成材を提供することができる。
【００４１】
また、本発明に係る他の耐火集成材によれば、第１燃え止まり層の外側に設けられる仕上げ材をさらに備え、崩落防止材を、仕上げ材の外側、または、第１燃え止まり層と仕上げ材との間に設けたので、第１燃え止まり層の外側に設けられる仕上げ材を備える場合においても、第１燃え止まり層の崩落を防止することができる。
【００４２】
また、本発明に係る他の耐火集成材によれば、崩落防止材を、第１燃え止まり層の外側と内側とに設けたので、第１燃え止まり層の崩落をより確実に防止することができる。
【００４３】
また、本発明に係る他の耐火集成材によれば、崩落防止材を、崩落する第１燃え止まり層の破片よりも網目の大きさが細かい網目状の不燃性材料で構成したので、網目状の崩落防止材によって、第１燃え止まり層からの破片の崩落を防止することができる。
【産業上の利用可能性】
【００４４】
以上のように、本発明に係る耐火集成材は、荷重を支持するための集成材からなる芯材と、この芯材の外側に設けられる燃え止まり層とを備える耐火集成材に有用であり、特に、部材のスリム化を図るのに適している。
【符号の説明】
【００４５】
１０，１００，１０１，１０２  耐火集成材
１２  芯材
１４  第２燃え止まり層
１６  第１燃え止まり層
１８  仕上げ材
１８ａ，１６ａ  外表面
２０  崩落防止材
２８  平面部材（床スラブまたは壁）
【図１】
0006338103.tif 000002
【図２】
0006338103.tif 000003
【図３】
0006338103.tif 000004
【図４】
0006338103.tif 000005
【図５】
0006338103.tif 000006
【図６】
0006338103.tif 000007
【図７】
0006338103.tif 000008
【図８】
0006338103.tif 000009
【図９】
0006338103.tif 000010
【図１０】
0006338103.tif 000011
【図１１】
0006338103.tif 000012
【図１２】
0006338103.tif 000013